(57)【要約】【課題】エレベータの運転状況や利用日時に応じて有効な情報を乗りかご内で利用者へ効果的に表示できるエレベータ用表示装置を提供する。【解決手段】このエレベータ用表示装置は、エレベータの乗りかご１内に設けられると共に、乗りかご１内の様子を撮像する撮像装置２と、撮像装置２で撮像された撮像情報を映像化処理したかご内映像情報、並びに予め設定登録された動画、静止画、図形、文字にて構成される複数の画像情報をモニタ画面に表示するモニタ装置４と、を備える以外、乗りかご１の運転を制御するエレベータ制御装置５から遠隔監視装置６を経由して出力されるエレベータの状態信号に応じてかご内映像情報及び複数の画像情報（提示情報、背景画像情報、注意情報、保守点検作業向け情報を含む）を選択してモニタ装置４へ表示させる画像制御装置３を備える。【選択図】図１
2014028696.tif 000002
【特許請求の範囲】
【請求項１】
エレベータの乗りかご内に設けられると共に、当該乗りかご内の様子を撮像する撮像装置と、前記乗りかご内に設けられると共に、前記撮像装置で撮像された撮像情報を映像化処理したかご内映像情報、並びに予め設定登録された動画、静止画、図形、文字にて構成される複数の画像情報をモニタ画面上に表示するモニタ装置と、を備えたエレベータ用表示装置において、
前記乗りかごの運転を制御するエレベータ制御装置から出力されるエレベータの状態信号に応じて前記かご内映像情報及び前記複数の画像情報を選択して前記モニタ装置へ表示させる画像制御装置を備えたことを特徴とするエレベータ用表示装置。
【請求項２】
請求項１記載のエレベータ用表示装置において、前記エレベータの状態信号には、エレベータの平常運行を特定する平常運行状態信号とエレベータの保守作業を行うときの保守運行を特定する保守運行状態信号とが含まれ、前記エレベータ制御装置は、前記画像制御装置に対して前記平常運行状態信号を出力して前記モニタ装置で平常動作表示する指令を行うと共に、当該画像制御装置に対して前記保守運行状態信号を出力して前記モニタ装置で保守動作表示する指令を行うことを特徴とするエレベータ用表示装置。
【請求項３】
請求項２記載のエレベータ用表示装置において、前記画像制御装置は、前記エレベータ制御装置から前記平常動作表示の指令、並びにエレベータのドア開状態を示すドア開状態信号の双方が入力されたとき、前記かご内映像情報を前記モニタ画面に表示させることを特徴とするエレベータ用表示装置。
【請求項４】
請求項２記載のエレベータ用表示装置において、前記画像制御装置は、前記エレベータ制御装置から前記平常動作表示の指令、並びに前記乗りかごの減速開始を示す減速開始信号の双方が入力されたとき、前記複数の画像情報に含まれる注意情報を前記モニタ画面に表示させることを特徴とするエレベータ用表示装置。
【請求項５】
請求項２記載のエレベータ用表示装置において、前記画像制御装置は、前記エレベータ制御装置から前記平常動作表示の指令、並びにエレベータが設置される建物に入退館する地上階から前記乗りかごの走行開始を示す地上階走行開始信号の双方が入力されたとき、前記複数の画像情報に含まれる当該建物の利用者への提示情報を前記モニタ画面に表示させることを特徴とするエレベータ用表示装置。
【請求項６】
請求項５記載のエレベータ用表示装置において、前記提示情報は、エレベータの保守点検日時情報、エレベータの保守点検実施結果情報を含むことを特徴とするエレベータ用表示装置。
【請求項７】
請求項２記載のエレベータ用表示装置において、前記画像制御装置は、前記エレベータ制御装置から前記保守動作表示の指令、並びにエレベータの保守運転状態を示す保守運転状態信号の双方が入力されたとき、前記複数の画像情報に含まれる当該保守運転状態信号に応じた各種制御内容の保守点検作業向け情報を前記モニタ画面に表示させることを特徴とするエレベータ用表示装置。
【発明の詳細な説明】
【技術分野】
【０００１】
本発明は、エレベータの乗りかご内に設けたモニタ画面に対して利用者向けに有効な情報を表示するエレベータ用表示装置に関する。
【背景技術】
【０００２】
従来、エレベータの乗りかご内には、かご位置を示す階床表示器の外に、モニタ装置、或いは階床表示器及びモニタ装置を一体化した装置を設けて様々な情報を表示することで利用者（乗客）向けの情報案内サービスを提供したり、防犯性を向上させるために乗りかご内をテレビカメラで撮影したかご内映像情報をモニタ装置の画面に表示している。
【０００３】
このようなサービスの提供を行う周知技術としては、常にカメラで撮影されることに対する利用者（乗客）側の不快感を緩和させるため、乗りかごの扉の開扉信号が入力されたときにのみ、かご内映像情報を表示するようにした「エレベータの乗りかご内撮影装置」（特許文献１参照）や、かご位置やかご内の行き先階登録釦に同期して、ビルのフロア案内を表示する「エレベータ停止階のフロア案内システム」（特許文献２参照）が挙げられる。
【先行技術文献】
【特許文献】
【０００４】
【特許文献１】特許第３４２６９６６号公報
【特許文献２】特許第３９７６６１３号公報
【発明の概要】
【発明が解決しようとする課題】
【０００５】
上述した特許文献１や特許文献２の技術は、乗りかご内の様子を撮像したかご内映像情報やその他のビルのフロア情報を表示するものであるが、それ以外にマンション等に設置されたエレベータの乗りかご内で表示したい情報として、年配の利用者への乗りかご停止前の減速注意情報、ゴミ出し予定日時情報、エレベータが停止する点検日時情報、マンション住人自治会の回覧情報等についての有効な情報を効果的に表示することができないという不便がある。
【０００６】
本発明は、このような問題点を解決すべくなされたもので、その技術的課題は、エレベータの運転状況や利用日時に応じて有効な情報を乗りかご内で利用者へ効果的に表示できるエレベータ用表示装置を提供することにある。
【課題を解決するための手段】
【０００７】
上記技術的課題を解決するため、本発明は、エレベータの乗りかご内に設けられると共に、当該乗りかご内の様子を撮像する撮像装置と、乗りかご内に設けられると共に、撮像装置で撮像された撮像情報を映像化処理したかご内映像情報、並びに予め設定登録された動画、静止画、図形、文字にて構成される複数の画像情報をモニタ画面上に表示するモニタ装置と、を備えたエレベータ用表示装置において、乗りかごの運転を制御するエレベータ制御装置から出力されるエレベータの状態信号に応じてかご内映像情報及び複数の画像情報を選択してモニタ装置へ表示させる画像制御装置を備えたことを特徴とする。
【発明の効果】
【０００８】
本発明のエレベータ用表示装置によれば、乗りかごの運転を制御するエレベータ制御装置からのエレベータの状態信号に応じて、かご内映像情報及び複数の画像情報を選択してモニタ装置へ表示させることができるため、エレベータの運転状況や利用日時に応じて有効な情報を乗りかご内で利用者へ効果的に表示できるようになる。
【図面の簡単な説明】
【０００９】
【図１】本発明の実施例１に係るエレベータ用表示装置の基本構成を示した概略ブロック図である。
【図２】図１に示されるエレベータ用表示装置の基本的な動作処理を示したフローチャートである。
【図３】図１に示されるエレベータ用表示装置に備えられるモニタ装置の平常動作表示時でモニタ画面に表示されるかご内映像情報を例示した図である。
【図４】図１に示されるエレベータ用表示装置に備えられるモニタ装置の平常動作表示時でモニタ画面に表示される注意情報を例示した図である。
【図５】図１に示されるエレベータ用表示装置に備えられるモニタ装置の平常動作表示時でモニタ画面に表示される提示情報を例示した図である。
【図６】図１に示されるエレベータ用表示装置に備えられる画像制御装置による乗りかごの運行パターンに応じたモニタ装置における平常動作表示時のモニタ画面に対するかご内映像情報及び複数の画像情報を切り替え選択した表示パターンを例示したタイミングチャートである。
【図７】図１に示されるエレベータ用表示装置に備えられるモニタ装置の保守動作表示時でモニタ画面に表示される保守点検作業向け情報を例示した図である。
【図８】図１に示されるエレベータ用表示装置に備えられる画像制御装置による平常動作表示時でのモニタ装置のモニタ画面への表示制御の動作処理を示したフローチャートである。
【発明を実施するための形態】
【００１０】
以下に、本発明のエレベータ用表示装置について、実施例を挙げ、図面を参照して詳細に説明する。
【実施例１】
【００１１】
図１は、本発明の実施例１に係るエレベータ用表示装置の基本構成を示した概略ブロック図である。ここでのエレベータの乗りかご１には、利用者が操作する操作盤１ａと利用者の乗降の際に開閉するドア１ｂとが設けられている。
【００１２】
実施例１に係るエレベータ用表示装置は、乗りかご１内の様子を撮像する撮像装置として乗りかご１の天井に設けられたテレビカメラ２と、テレビカメラ２で撮像された撮像情報を映像化処理したかご内映像情報、並びに予め設定登録された動画、静止画、図形、文字にて構成される複数の画像情報（後述する注意情報、提示情報、背景画像情報の他、保守動作表示時の保守点検作業向け情報を含む）による画像情報信号を出力する画像制御装置３と、画像制御装置３が出力する画像情報信号に応じてかご内映像情報及び複数の画像情報から選択された情報をモニタ画面に表示するモニタ装置４と、を備えて構成される。また、モニタ装置４は、モニタ画面に乗りかご１のかご位置や走行方向等を表示する機能を備えている。
【００１３】
このうち、遠隔監視装置６を介して画像制御装置３に接続されたエレベータ制御装置５は、乗りかご１が昇降する昇降路内か、或いは別途に設けられた機械室内に設置されるもので、利用者（乗客）が使用する操作盤１ａのかご行先釦や乗場の乗場釦（何れも略図する）の操作により、略図する巻上機を制御して乗りかご１の昇降制御、目的の階床での停止等、運転に係る各種制御を行う。
【００１４】
画像制御装置３は、乗りかご１の運転を制御するエレベータ制御装置５から遠隔監視装置６を経由して出力されるエレベータの状態信号に応じて、かご内映像情報及び複数の画像情報を選択してモニタ装置４のモニタ画面へ表示させる。このエレベータの状態信号には、エレベータの平常運行を特定する平常運行状態信号とエレベータの保守作業を行うときの保守運行を特定する保守運行状態信号とが含まれる。そこで、エレベータ制御装置５では、遠隔監視装置６を経由して画像制御装置３に対して平常運行状態信号を出力してモニタ装置４で平常動作表示する指令を行うと共に、遠隔監視装置６を経由して画像制御装置３に対して保守運行状態信号を出力してモニタ装置４で保守動作表示する指令を行う。
【００１５】
遠隔監視装置６は、エレベータ制御装置５からのエレベータの制御信号や故障信号を受信し、受信した各種信号を分析して異常検出を行い、異常検出された場合には電話回線網９を経由して遠隔地に設置された管制センタ７に通報する。異常通報された管制センタ７では、保守業務を担当している営業所に連絡して保守点検者に出動を指示して対処させる運びになる。また、遠隔監視装置６は、エレベータ制御装置５から送信された画像表示制御に必要な上述した平常動作表示の指令や保守動作表示の指令を画像制御装置３に対して送出する。モニタ装置４は、平常動作表示の指令や保守動作表示の指令を受けた画像制御装置３から選択されて送出されるかご内映像情報及び複数の画像情報をモニタ画面に表示する。画像制御装置３が使用する画像情報は、管制センタ７から電話回線網９及び遠隔監視装置６を経由して蓄積されるか、或いはエレベータの保守点検者が携帯する保守携帯端末８から操作盤１ａ及びモニタ装置４を経由して蓄積されるものである。このため、保守携帯端末８は、乗りかご１の操作盤１ａに接続することができるようになっている。
【００１６】
図２は、実施例１に係るエレベータ用表示装置の基本的な動作処理を示したフローチャートである。このエレベータ用表示装置の動作処理では、画像制御装置３がエレベータ制御装置５から遠隔監視装置６を経由して出力されるエレベータの状態信号に応じて、モニタ装置４のモニタ画面に表示させる画像データを変更するものである。具体的に云えば、画像制御装置３では、エレベータ制御装置５から遠隔監視装置６を経由して保守運行状態信号が出力されて保守動作表示の指令を受けたか否かにより、エレベータ保守か否かの判定（ステップＳ０１）を行う。ここでの保守運転状態は、操作盤１ａに設置されている保守運転スイッチ（略図）を投入するか、或いは操作盤１ａ内に設置されているコネクタ（略図）に保守携帯端末８を接続して所定の操作を行うことにより設定されるもので、その設定状態が画像制御装置３及び遠隔監視装置６を経由してエレベータ制御装置５で認知されるものである。
【００１７】
そこで、上記判定の結果、エレベータ保守でなければ（エレベータ制御装置５から遠隔監視装置６を経由して平常運行状態信号が出力されて平常動作表示の指令を受けていれば）、エレベータを利用者が使用する平常モードとみなして利用者向けの各種画像情報を表示するためにモニタ装置４に対して平常動作表示指令（ステップＳ０２）を行ってから動作終了するが、エレベータ保守であれば（エレベータ制御装置５から遠隔監視装置６を経由して保守運行状態信号が出力されて保守動作表示の指令を受けていれば）、保守点検作業に必要な保守運転状態信号に応じた各種制御内容の保守点検作業向け情報を表示するためにモニタ装置４に対して保守動作表示指令（ステップＳ０３）を行ってから動作終了する。
【００１８】
以下は、図２に示した平常動作表示指令（ステップＳ０２）を受けたモニタ装置４のモニタ画面における平常動作表示時の３種の異なる画像表示例について説明する。
【００１９】
図３は、実施例１のエレベータ用表示装置に備えられるモニタ装置４の平常動作表示時でモニタ画面４０に表示されるかご内映像情報を例示した図である。このかご内映像情報は、エレベータ制御装置５から遠隔監視装置６を経由して平常動作表示の指令、並びにエレベータのドア１ｂの開状態を示すドア開状態信号の双方が画像制御装置３に入力されたとき、画像制御装置３により選択指定されてモニタ画面４０に表示されるものである。
【００２０】
図３を参照すれば、かご内映像情報の表示パターンは、モニタ画面４０の構成として、乗りかご１の運転方向を表示する運転方向表示部４１（ここでは上昇運転の方向を示す）と、乗りかご１の現在位置を示すかご位置表示部４２（ここでは３階に位置されていることを示す）と、所定のメッセージを表示するメッセージ表示部４３（ここでは「ドアがひらきます」と表示されることを示す）と、所定の画像を表示する画像表示部４４（ここではテレビカメラ２により乗りかご１内を撮影した実写映像情報を示す）と、現在の日時を表示する日時表示部４５（ここでは現在の日時が１２月３０日の金曜日、１１：２８であることを示す）と、を有している。このうち、画像表示部４４の画像は、エレベータ制御装置５から乗りかご１の停止信号とドア１ｂのドア開状態信号とを遠隔監視装置６を経由して画像制御装置３が受信し、テレビカメラ２が乗りかご１内を撮影した実写映像情報を画像制御装置３によりモニタ画面４０に表示するものである。このかご内映像情報の表示では、乗りかご１内の様子を撮影・録画していることを利用者に知らしめることにより、防犯効果を高めることができる。
【００２１】
図４は、実施例１のエレベータ用表示装置に備えられるモニタ装置４の平常動作表示時でモニタ画面４０に表示される注意情報を例示した図である。この注意情報は、エレベータ制御装置５から遠隔監視装置６を経由して平常動作表示の指令、並びに乗りかご１の減速開始を示す減速開始信号の双方が画像制御装置３に入力されたとき、画像制御装置３により複数の画像情報から選択指定されてモニタ画面４０に表示されるものである。
【００２２】
図４を参照すれば、注意情報の表示パターンは、モニタ画面４０の構成がかご内映像情報の表示パターンの場合と同様となっており、運転方向表示部４１、かご位置表示部４２、日時表示部４５については共通した内容となっているが、メッセージ表示部４３には異なるメッセージの「つぎは３階です」が表示され、画像表示部４４には異なる画像の「注意  乗り降りする際は、足元に気をつけてください。」が表示されている。ここでは、画像表示部４４への注意情報の画像として、乗りかご１内の利用者に停止後乗降時の足元注意の注意喚起メッセージを表示する。注意情報の画像表示は、乗りかご１が走行して目的階床で停止するために目的階床の手前で減速開始するとき、エレベータ制御装置５から遠隔監視装置６を経由して送出された減速開始を示す減速開始信号が画像制御装置３に入力されたとき、画像制御装置３により複数の画像情報から選択指定してモニタ画面４０に表示する。
【００２３】
図５は、実施例１のエレベータ用表示装置に備えられるモニタ装置４の平常動作表示時でモニタ画面４０に表示される提示情報を例示した図である。この提示情報は、エレベータ制御装置５から遠隔監視装置６を経由して平常動作表示の指令、並びにエレベータが設置される建物（ビル）に入退館する地上階から乗りかご１の走行開始を示す地上階走行開始信号の双方が入力されたとき、画像制御装置３により複数の画像情報から選択指定されてモニタ画面４０に表示されるものである。
【００２４】
図５を参照すれば、提示情報の表示パターンは、モニタ画面４０の構成がかご内映像情報や注意情報の表示パターンの場合と同様となっており、運転方向表示部４１、日時表示部４５については共通した内容となっているが、かご位置表示部４２には異なる階の１階が表示され、メッセージ表示部４３には注意情報の表示パターンの場合と同様なメッセージの「つぎは３階です」が表示され、画像表示部４４には異なる画像の「お知らせ  自治会を実施します。日時：１２月３１日（土）  １５：００−１７：００」が表示されている。通常１階は地上階と呼ばれ、建物（ビル）の入退館に利用される階であり、エレベータの利用者が多い。そこで、乗りかご１が地上階から走行開始したとき、例えば建物（ビル）の利用者に周知させるための提示情報を表示すると、より多くの建物（ビル）の利用者に提示情報を周知させることができる。提示情報の画像表示は、乗りかご１が走行して目的階床で停止するために目的階床の手前で減速開始するとき、エレベータ制御装置５から遠隔監視装置６を経由して送出された地上階から乗りかご１の走行開始を示す地上階走行開始信号が画像制御装置３に入力されたとき、画像制御装置３により複数の画像情報から選択してモニタ画面４０に表示する。提示情報としては、その他にエレベータが利用できないエレベータの保守点検日時情報、エレベータの保守点検実施結果情報、建物（ビル）の揚水ポンプの保守点検による断水予定等の建物（ビル）の利用者に告知させるべき情報を表示する場合を例示することができる。
【００２５】
図６は、実施例１のエレベータ用表示装置に備えられる画像制御装置３による乗りかご１の運行パターンに応じたモニタ装置４における平常動作表示時のモニタ画面４０に対するかご内映像情報及び複数の画像情報（上述した注意情報や提示情報の他、背景画像情報を含む）を切り替え選択した表示パターンを例示したタイミングチャートである。即ち、ここでは乗りかご１が１階（地上階）から３階へ走行して停止した後、４階に走行して停止する運行パターンに合わせ、乗りかご１の運転を制御するエレベータ制御装置５から遠隔監視装置６を経由して送出されるエレベータの状態信号（乗りかご１の走行状態信号やドア開状態信号を含む）に応じた画像制御装置３によるかご内映像情報及び複数の画像情報の切り替え表示の様子を示している。
【００２６】
具体的に云えば、ここではまず利用者（乗客）が初期停止階である地上階の１階で乗りかご１に乗り込んだ後、乗りかご１内の操作盤１ａの行き先階登録釦として３階の登録釦を押圧すると、その後に乗りかご１はドア１ｂの閉動作を経てエレベータ走行となる３階までの上昇走行運転となって１階出発（ステップＳ１）の状態となる。このとき、画像制御装置３は、エレベータ制御装置５からドア閉状態信号と地上階走行開始信号とを入力しているので、乗りかご１の上昇走行運転で加速から等速運転に推移して減速されるまでの間、複数の画像情報から最初に図５に示したような提示情報を選択指定してモニタ装置４のモニタ画面４０における画像表示部４４に表示させた後、等速運転に推移した後に画像表示部４４の画面を切り替えて所定の背景画像情報（風景画像１）を表示する。ここで、乗りかご１が上昇走行運転で２階付近に到達していれば、かご位置表示部４２には２階が表示される。
【００２７】
このように、乗りかご１が加速から等速運転に推移して減速されるまでの間は、利用者（乗客）の乗り込みが多いため、必然的に乗りかご１内のモニタ装置４のモニタ画面４０の表示内容に多くの人の目が集中するため、重要な知らせ事項等に関連する提示情報を表示するのに適している。このタイミングで画像表示部４４の画面に表示させる提示情報は、例えばマンションであれば図５に示した場合のように掲示板的な利用者向け情報であることが好ましく、事務所ビルであれば各階の案内情報であることが好ましい。また、保守点検管理側（エレベータの管理側）が保守点検日時情報を知らせたり、或いは保守点検実施結果情報を知らせる場合、従来では貼紙を貼り付けて対応していたが、こうした情報を提示情報として表示させても良い。何れにせよ、乗りかご１が加速から等速運転に推移して減速されるまでの間にモニタ装置４のモニタ画面４０における画像表示部４４に表示する画像（提示情報、背景画像情報）は、予め重要度を考慮して設定した優先順位に従って地上階の１階から出発する毎に順番に表示すれば良い。
【００２８】
次に、乗りかご１が減速開始（ステップＳ２）される段階では、エレベータ制御装置５から乗りかご１に対する減速開始信号が画像制御装置３に入力されるので、画像制御装置３では乗りかご１の行先階である３階で停止されるまでの間、複数の画像情報から図４に示したような注意情報を選択指定してモニタ装置４のモニタ画面４０における画像表示部４４に切り替え表示させる。このように、乗りかご１が減速してから目的階（３階）で停止するまでの間においても、乗りかご１内の利用者の目線は到着階を確認するためにモニタ装置４のモニタ画面４０における表示内容に集中するため、このようなタイミングで画像表示部４４の画面に表示させる注意情報は、利用者（乗客）に対して安全に降車して貰うため、乗場の段差に注意を促す内容やドア１ｂの開閉動作に対する注意を促す内容の注意喚起メッセージを含むことが好ましい。尚、ここでの注意情報の表示を行っている間、かご位置表示部４２には乗りかご１の上昇走行が継続して最初の目的階の３階に接近するため、３階が表示される。因みに、以上に説明した乗りかご１が加速から等速運転に推移して減速されて停止されるまでの間にモニタ装置４のモニタ画面４０における画像表示部４４に表示する複数の画像情報（提示情報、注意情報、背景画面情報）は、何れも上述したように予め設定登録された動画、静止画、図形、文字にて構成されるものである。
【００２９】
更に、乗りかご１が目的階の３階到着（ステップＳ３）した後、画像制御装置３にはエレベータ制御装置５からエレベータのドア１ｂの開状態を示すドア開状態信号が入力されるため、画像制御装置３ではモニタ装置４のモニタ画面４０における画像表示部４４に対して図３に示したようなテレビカメラ２によるかご内映像情報を選択指定して切り替え表示し、乗りかご１が目的階の３階で停止している間、即ち、乗りかご１のドア１ｂの開状態を所定時間維持した後のドア１ｂの閉動作により乗りかご１のドア１ｂが閉状態となって３階出発（ステップＳ４）に至るまでの間は、かご内映像情報を画像表示部４４に表示し、メッセージ表示部４３の表示内容を消去する。
【００３０】
引き続き、３階出発（ステップＳ４）に至ると、再びエレベータ制御装置５から停止階の３階より上昇走行を再開した停止階走行再開信号が画像制御装置３に入力されるが、画像制御装置３では地上階の１階からの地上階走行開始信号ではないため、乗りかご１の上昇走行運転で加速から等速運転に推移して減速されるまでの間、図５に示したような掲示情報ではなく、複数の画像情報から別の背景画面情報（風景画像２）を選択指定してモニタ装置４のモニタ画面４０における画像表示部４４に表示させる。このとき、メッセージ表示部４３には次の目的階を示すメッセージの「つぎは４階です」が表示される。因みに、重要度が高くない背景画面情報については、表示順を予め定めた通りに行うか、或いはランダムに表示させても良い。
【００３１】
また、乗りかご１が減速開始（ステップＳ５）された後には、再びエレベータ制御装置５から減速開始信号が画像制御装置３に入力されるので、画像制御装置３では乗りかご１の次の行先階である４階で停止されるまでの間、上述した場合と同様に複数の画像情報から注意情報を選択指定してモニタ装置４のモニタ画面４０における画像表示部４４に表示させる。ここでも乗りかご１が４階で停止されるまでの間、行先の目的階（４階）が近いため、乗場の段差に注意を促す内容やドア１ｂの開閉動作に対する注意を促す内容の注意喚起メッセージを含む注意情報を画像表示部４４に表示することが好ましい。因みに、ここで注意情報を表示している間も、乗りかご１の上昇走行が継続して次の目的階の４階に接近するため、かご位置表示部４２には４階が表示される。
【００３２】
更に、乗りかご１が次の目的階の４階到着（ステップＳ６）した後、エレベータ制御装置５からドア開状態信号が画像制御装置３に入力されるので、画像制御装置３ではモニタ装置４のモニタ画面４０における画像表示部４４に対してテレビカメラ２によるかご内映像情報を切り替え表示し、乗りかご１が目的階の４階で停止している間、即ち、ドア１ｂの開動作による乗りかご１のドア１ｂの開状態を所定時間維持した後のドア１ｂの閉動作により乗りかご１のドア１ｂの閉状態となって４階出発に至るまでの間は、画像表示部４４にかご内映像情報を表示し、メッセージ表示部４３の表示内容を消去する。
【００３３】
以下は、図２に示した保守動作表示指令（ステップＳ０３）を受けたモニタ装置４のモニタ画面における保守動作表示時の画像表示例について説明する。
【００３４】
図７は、実施例１のエレベータ用表示装置に備えられるモニタ装置４の保守動作表示時でモニタ画面４０に表示される保守点検作業向け情報を例示した図である。この保守点検作業向け情報は、エレベータ制御装置５から遠隔監視装置６を経由して保守動作表示の指令、並びにエレベータの保守運転状態を示す保守運転状態信号の双方が入力されたとき、画像制御装置３により保守運転状態信号に応じて複数の画像情報から選択指定されてモニタ画面４０に表示されるものである。即ち、画像制御装置３は、エレベータ制御装置５から遠隔監視装置６を経由して出力される保守運転状態信号を受信すると、保守運転状態信号に応じた各種制御内容の保守点検作業向け情報を複数の画像情報から選択指定してモニタ画面４０に表示する。
【００３５】
図７を参照すれば、保守点検作業向け情報の表示パターンは、モニタ画面４０の構成が図３〜図５で説明した平常動作表示時の表示例と比べ、乗りかご１の上昇下降の運転方向を表示する運転方向表示部４１（ここでは方向指定されていない状態の上昇運転方向と下降運転方向との双方向が示されている）と、乗りかご１の真近な階床位置を示すかご位置表示部４２（ここでは３階が真近な階床位置であることを示す）と、現在の日時を表示する日時表示部４５（ここでも現在の日時が１２月３０日の金曜日、１１：２８であることを示す）と、を有する点で共通している。
【００３６】
その他、保守点検作業向け情報の表示パターンは、保守点検作業者へ提供するものであるため、モニタ画面４０の構成がメッセージ表示部４３や画像表示部４４を区画せず、その代わりに、真近な階床とかご床との段差を表示する段差表示部４６（ここではかご床が真近な階床まで−２０ｍｍ到達していない状態を示す）と、乗りかご１のドア１ｂの開状態を検出するための戸開ゾーン検出スイッチ用オンオフ表示部４７（ここではオンの場合の黒丸印に該当し、オフの場合の白丸印に該当しないことを示す）と、乗りかご１の上昇走行運転を制限するための上昇運転制限スイッチ（上方終端スイッチ、上昇限界スイッチ、及び上方減速スイッチを含む）用オンオフ表示部４８（ここでは上方終端スイッチ及び上昇限界スイッチがオフの場合の白丸印に該当し、上方減速スイッチがオンの場合の黒丸印に該当することを示す）と、乗りかご１の下降走行運転を制限するための下降運転制限スイッチ（下方終端スイッチ、下降限界スイッチ、及び下方減速スイッチを含む）用オンオフ表示部４９（ここでは各種スイッチがオフの場合の白丸印に該当することを示す）と、乗りかご１の積載荷重の割合を表示する積載荷重割合表示部５０（ここでは現状の積載荷重が最大許容値の１３％の状態であることを示す）と、乗りかご１のドア１ｂ及び乗場のドアの開閉動作に係るドア開閉動作指示及び状態検出スイッチ（戸開指令、戸開端スイッチ、戸閉指令、戸閉端スイッチ、乗場戸スイッチ、及びかご戸スイッチを含む）用オンオフ表示部５１（ここでは戸開指令及び戸開端スイッチがオフの場合の白丸印に該当し、戸閉指令、戸閉端スイッチ、乗場戸スイッチ、及びかご戸スイッチがオンの場合の黒丸印に該当することを示す）と、を有している。保守点検者は、乗りかご１内のモニタ装置４のモニタ画面４０でこのような保守点検作業向け情報の表示パターンを参照することによって、効率良く保守点検作業を実施することができる。
【００３７】
図８は、実施例１に係るエレベータ用表示装置に備えられる画像制御装置３による平常動作表示時でのモニタ装置４のモニタ画面４０への表示制御の動作処理を示したフローチャートである。この表示制御の動作処理では、まず画像制御装置３がエレベータ制御装置５から遠隔監視装置６を経由しての乗りかご１の走行状態信号を受信しているか否かにより、乗りかご走行中であるか否かの判定（ステップＳ１１）を行う。この判定の結果、乗りかご走行中であれば、引き続いて画像制御装置３がエレベータ制御装置５から遠隔監視装置６を経由しての走行状態信号に基づいて減速開始信号を受信しているか否かにより、乗りかご減速中であるか否かの判定（ステップＳ１２）を行う。この判定の結果、乗りかご減速中でなければ、引き続いて画像制御装置３がエレベータ制御装置５から遠隔監視装置６を経由しての走行状態信号に基づいて加速開始信号を受信しているか否かにより、乗りかご加速中であるか否かの判定（ステップＳ１３）を行う。この判定の結果、乗りかご加速中でなければ、引き続いて画像制御装置３が内蔵する画像更新タイマを確認して画像更新から一定時間経過しているか否かの判定（ステップＳ１５）を行う。この判定の結果、一定時間経過していなければ、最初の乗りかご走行中であるか否かの判定（ステップＳ１１）の前に戻ってそれ以降の処理を繰り返すが、一定時間経過していれば、例えば図６の減速開始（ステップＳ２）前の等速時に該当する背景画像情報（風景画像１）を表示する画像更新（ステップＳ１７）の処理を行った後、画像更新タイマで計測開始（ステップＳ２０）してから最初の乗りかご走行中であるか否かの判定（ステップＳ１１）の前に戻ってそれ以降の処理を繰り返す。
【００３８】
また、先の乗りかご加速中であるか否かの判定（ステップＳ１３）の結果、乗りかご加速中であれば、引き続いて画像更新タイマで計測中であるか否かの判定（ステップＳ１４）を行う。この判定の結果、画像更新タイマで計測中であれば、上述した画像更新タイマを確認して画像更新から一定時間経過しているか否かの判定（ステップＳ１５）に移行してそれ以後の処理を継続するが、画像更新タイマで計測中でなければ、引き続いて画像制御装置３がエレベータ制御装置５から遠隔監視装置６を経由しての走行状態信号に基づいて地上階である１階からの地上階走行開始信号を受信しているか否か（加速時の一定時間内はかご位置信号が出発階を示している）により、地上階から走行開始であるか否かの判定（ステップＳ１６）を行う。この判定の結果、地上階から走行開始であれば、図５に示したような提示情報を表示するための画像更新（ステップＳ１８）の処理を行った後、画像更新タイマで計測開始（ステップＳ２０）してから最初の乗りかご走行中であるか否かの判定（ステップＳ１１）の前に戻ってそれ以降の処理を繰り返すが、地上階から走行開始でなければ、例えば図６の減速開始（ステップＳ５）前の加速から等速移行時に該当する背景画像情報（風景画像２）を表示する画像更新（ステップＳ１９）の処理を行った後、画像更新タイマで計測開始（ステップＳ２０）してから最初の乗りかご走行中であるか否かの判定（ステップＳ１１）の前に戻ってそれ以降の処理を繰り返す。
【００３９】
更に、先の乗りかご減速中であるか否かの判定（ステップＳ１２）の結果、乗りかご減速中であれば、引き続いて図４に示したような注意情報を表示する画像更新（ステップＳ２１）の処理を行った後、画像更新タイマで計測停止（ステップＳ２２）してから最初の乗りかご走行中であるか否かの判定（ステップＳ１１）の前に戻ってそれ以降の処理を繰り返す。
【００４０】
加えて、最初の乗りかご走行中であるか否かの判定（ステップＳ１１）の結果、乗りかご走行中でなければ、引き続いて画像制御装置３がエレベータ制御装置５から遠隔監視装置６を経由しての走行状態信号に基づいてかご戸スイッチ信号がＯＦＦ（かご戸スイッチ信号は乗りかご１のドア１ｂの開状態の開始からその終了直前までＯＦＦとなっている）であるか否かの判定（ステップＳ３０）を行う。この判定の結果、かご戸スイッチ信号がＯＦＦであれば、図３に示したようなかご内映像情報を表示するかご内映像表示（ステップＳ３１）の処理を行った後、画像更新タイマで計測停止（ステップＳ２２）してから最初の乗りかご走行中であるか否かの判定（ステップＳ１１）の前に戻ってそれ以降の処理を繰り返すが、かご戸スイッチ信号がＯＦＦでなければ（かご戸スイッチ信号がＯＮであれば）、引き続いて画像制御装置３がエレベータ制御装置５から遠隔監視装置６を経由しての走行状態信号に基づいてかご呼び信号が有るか否かの判定（ステップＳ３２）を行う。この判定の結果、かご呼び信号が有れば、乗りかご１が停止中でドア１ｂが閉状態となって走行し出すまで利用者が乗りかご１内に搭乗しており、ドア１ｂが閉状態でも乗りかご１の行先を決めるかご呼びが登録されていることになるため、かご内映像情報を表示するかご内映像表示（ステップＳ３１）の処理に移行した後、画像更新タイマで計測停止（ステップＳ２２）してから最初の乗りかご走行中であるか否かの判定（ステップＳ１１）の前に戻ってそれ以降の処理を繰り返すが、かご呼び信号が無ければ、モニタ画面４０の表示をＯＦＦにする画面表示ＯＦＦ（ステップＳ３３）の処理を行った後、画像更新タイマで計測停止（ステップＳ２２）してから最初の乗りかご走行中であるか否かの判定（ステップＳ１１）の前に戻ってそれ以降の処理を繰り返す。
【００４１】
尚、実施例１に係るエレベータ用表示装置では、画像制御装置３が遠隔監視装置６を経由してエレベータ制御装置５からエレベータの状態信号を受信する構成として説明したが、遠隔監視装置６を経由せずに直接エレベータ制御装置５からエレベータの状態信号を受信する構成としても良い。
【００４２】
何れにしても、実施例１に係るエレベータ用表示装置によれば、平常運転時には画像制御装置３の表示制御によりエレベータの運転状況に応じて乗りかご１内のモニタ装置４のモニタ画面４０に利用者向けに有効な情報を効果的に表示することができる。例えば、上述したように乗りかご１のドア開状態時にはかご内映像情報をモニタ画面４０に表示させ、通常基準階と呼ばれる地上階からの走行運転開始時には多くの建物（ビル）の利用者に知らしめたいゴミ出し予定日時情報、エレベータが停止する点検日時情報、エレベータの点検実施結果情報、マンション住人自治会の回覧情報等の提示情報をモニタ画面４０に表示させ、乗りかご１の減速開始時には年配の利用者への乗りかご１の停止前の減速等の注意喚起メッセージを含む注意情報をモニタ画面４０に表示させることにより、乗りかご１内の利用者に有効な情報を効果的に提供できる。また、保守運転時には画像制御装置３の表示制御により保守点検に必要な保守点検作業向け情報をモニタ画面４０に表示することにより、乗りかご１内の保守点検者にも有効な情報を効果的に提供できるため、保守点検作業の効率化が図られる。このような結果として、エレベータの運転状況や利用日時に応じて有効な情報を乗りかご内で利用者へ効果的に表示できるようになる。
【符号の説明】
【００４３】
１  乗りかご
１ａ  操作盤
１ｂ  ドア
２  テレビカメラ（撮像装置）
３  画像制御装置
４  モニタ装置
５  エレベータ制御装置
６  遠隔監視装置
７  管制センタ
８  保守携帯端末
９  電話回線網
４０  モニタ画面
４１  運転方向表示部
４２  かご位置表示部
４３  メッセージ表示部
４４  画像表示部
４５  日時表示部
４６  段差表示部
４７  戸開ゾーン検出スイッチ用オンオフ表示部
４８  上昇運転制限スイッチ用オンオフ表示部
４９  下降運転制限スイッチ用オンオフ表示部
５０  積載荷重割合表示部
５１  ドア開閉動作指示及び状態検出スイッチ用オンオフ表示部
【図１】
2014028696.tif 000003
【図２】
2014028696.tif 000004
【図７】
2014028696.tif 000005
【図８】
2014028696.tif 000006
【図３】
2014028696.tif 000007
【図４】
2014028696.tif 000008
【図５】
2014028696.tif 000009
【図６】
2014028696.tif 000010